(57)【要約】【課題】小型の表示装置において、グラフネットワーク状に関連付けられた様々な情報を検索する際に、容易にかつ視覚的に理解しやすく行う手段がない。【解決手段】グラフネットワーク状に関連付けられた情報を示す指定のノードの情報を表示画面の中央に置き、関連する他のノードを、当該指定のノードの周囲に表示し、検索者が知りたい情報を含むノードがある場合には、そのノードを指でタップする等の簡易な操作で表示画面の中央に移動することで、ノード間の関連性を視覚的にわかりやすくし、所望の情報をもつノードを見つけることを可能とする。【選択図】図３
2019086924.tif 000002
【特許請求の範囲】
【請求項１】
複数の情報を関連させて保存しているデータベースと、データベースから情報を抽出する装置と、抽出された情報を表示する表示装置と、ユーザーが表示装置上のアイコンを選択するための入力装置から成り、特定の情報を表示装置の中央部に表示し、当該情報と関連する他の情報を、特定の情報の周囲にで表示し、ユーザーが周囲に配置された関連する他の情報の１つを選択した際に、選択された情報を表示装置の中央部に表示する機能を有する表示装置。
【請求項２】
複数の情報を関連させて保存しているデータベースと、データベースから情報を抽出する装置と、抽出された情報を表示する表示装置から成り、特定の情報を表示装置の中央部に表示し、当該情報と関連する他の情報を、特定の情報の周囲に表示する機能を有する表示装置。
【請求項３】
複数の情報を関連させて保存しているデータベースと、データベースから情報を抽出する装置と、抽出された情報を表示する表示装置と、ユーザーが表示装置上のアイコンを選択するための入力装置から成り、特定の情報を表示装置の中央部に円形で表示し、当該情報と関連する他の情報を、特定の情報の周囲に円状に表示し、ユーザーが周囲に配置された関連する他の情報の１つを選択した際に、選択された情報を表示装置の中央部に表示する機能を有する表示装置。
【請求項４】
複数の情報を関連させて保存しているデータベースと、データベースから情報を抽出する装置と、抽出された情報を表示する表示装置と、ユーザーが表示装置上のアイコンを選択するための入力装置から成り、特定の情報を表示装置の中央部に表示し、当該情報と関連する他の情報を、特定の情報の周囲に表示し、ユーザーが周囲に配置された関連する他の情報の１つを選択した際に、選択された情報を表示装置の中央部に表示し、あるいは、当該情報と関連する他の情報をその属性に応じて検索するためのキーワードとなるアイコンを複数のグループに分け、特定の情報の周囲に表示し、ユーザーが周囲に配置された検索するためのキーワードとなるアイコンの１つを選択することで、表示する関連情報を選択する機能を有する表示装置。
【請求項５】
特定の情報の周囲に表示された関連する他の情報や、検索するためのキーワードとなるアイコンを選択する際に、ユーザーがそれらの情報やアイコン上に指を置き、そのまま離さずに中央付近まで指を移動させ、中央部で指を画面から離すことで、関連する他の情報や、検索するためのキーワードとなるアイコンが選択されたことを認識する機能を有する、請求項１あるいは請求項２あるいは請求項３あるいは請求項４の表示装置。
【請求項６】
検索するためのキーワードとなるアイコンを選択する際に、ユーザーがそれらの情報やアイコン上に指を置き、そのまま離さずに画面上を移動させると、指の軌跡に沿って、関連する情報が数珠つなぎ状に表示され、指を画面から離すことで、画面上にその表示が固定される機能を有する請求項４あるいは請求項５の表示装置。
【発明の詳細な説明】
【技術分野】
【０００１】
本発明は、小型の表示装置において、グラフネットワーク状に関連付けられた様々な情報を検索する際に、検索条件の入力を容易にかつ視覚的に理解しやすく行うことを可能にする表示装置である。
【背景技術】
【０００２】
インターネット上の様々な情報がクラウド上に蓄積されており、それらを容易に検索する技術が必要となっている。特に構造化された情報はグラフネットワーク状に関連付けられており、これまでの検索方法では関連性に係る情報を知ることが困難である。
【０００３】
しかし、グラフネットワークの情報を示すノードには関連性を表す多くのエッジを介して、たくさんのノードがつながっており、そのすべてを小型の表示装置に表示するには表示スペースが足りない。
【発明の概要】
【発明が解決しようとする課題】
【０００４】
インターネットのクラウド上に蓄積されたグラフネットワーク状に関連付けられた様々な情報は小型な表示装置に表示することが難しく、検索条件の入力を容易に、かつ視覚的に理解しやすい手段がない。
【課題を解決するための手段】
【０００５】
本発明は、グラフネットワーク状に関連付けられた情報を示す指定のノードの情報を表示画面の中央に置き、関連性を表すエッジを介してつながっている他のノードを、当該指定のノードの周囲に表示し、検索者が知りたい情報を含むノードがある場合には、そのノードを指でタップする等の簡易な操作で表示画面の中央に移動することで、ノード間の関連性を視覚的にわかりやすくし、所望の情報をもつノードを見つけることを可能にしたことを特徴とする。
【０００６】
また、本発明は、グラフネットワーク状に関連付けられた情報を示す指定のノードの情報を表示画面の中央に置き、当該指定のノードにつながっている他のノードが多い場合には、他のノードの情報の代わりに、検索可能な条件を当該指定のノードの周囲に表示し、検索者が所望のノードに関係すると考える検索条件を指でタップする等の簡易な操作で表示画面の中央に移動することで、検索条件に該当するノードを周囲に表示し、さらに検索が必要な場合は、より詳細な検索可能な条件を当該指定のノードの周囲に表示し、この動作を繰り返すことで、検索者が知りたい情報を含むノードを簡易な操作で見つけることを可能にしたことを特徴とする。
【発明の効果】
【０００７】
本発明の表示装置を用いて、スマートホン上でグラフネットワーク状に関連付けられた情報を検索する際、ノード間の関連性を視覚的にわかりやすくし、所望の情報をもつノードを容易に見つけることを可能とすることができる。
【図面の簡単な説明】
【０００８】
【図１】図１は、本発明の実施例のグラフネットワーク状の情報を示す概略図である。
【図２】図２は、本発明の実施例のグラフネットワーク状の情報の表示画面を示す説明図である。
【図３】図３は、本発明の実施例のグラフネットワーク状の情報の表示の移動画面を示す説明図である
【図４】図４は、本発明の実施例のグラフネットワーク状の情報の検索条件を示す説明図である。
【図５】図５は、本発明の実施例のグラフネットワーク状の情報の検索動作を示す説明図である。
【図６】図６は、本発明の実施例のグラフネットワーク状の情報の時刻による検索動作を示す説明図である。
【発明を実施するための形態】
【０００９】
スマートホン上でグラフネットワーク状に関連付けられた情報を検索する際、ノード間の関連性を視覚的にわかりやすくし、所望の情報をもつノードを容易に見つけることを可能とするために、現在閲覧しているノードの情報を表示画面の中央に置き、関連性を表すエッジを介してつながっている他のノードを、当該ノードの周囲に表示し、検索者が知りたい情報を含むノードがある場合には、そのノードを指でタップする等の簡易な操作で表示画面の中央に移動することで、ノード間の関連性を視覚的にわかりやすくし、当該ノードにつながっている他のノードが多い場合には、他のノードの情報の代わりに、検索可能な条件を当該ノードの周囲に表示し、検索者が所望のノードに関係すると考える検索条件を指でタップする等の簡易な操作で表示画面の中央に移動することで、検索条件に該当するノードを周囲に表示し、さらに検索が必要な場合は、より詳細な検索可能な条件を当該ノードの周囲に表示し、この動作を繰り返すことで、検索者が知りたい情報を含むノードを簡易な操作で見つけることを可能にした。
【実施例】
【００１０】
実施例は、店舗を利用するユーザーを想定して記載するが、店舗以外の施設においても同様な効果が得られる。また、商品として具体的な物体である必要はなく、場所で提供されるサービスのような行為や、場所の説明のような文章でもよい。
【００１１】
図１は、本発明の実施例のグラフネットワーク状の情報を示す概略図であって、１０１〜１２０は情報１〜情報２０をもつノードである。
【００１２】
ノード１０１はノード１０２、ノード１０５、ノード１０８、ノード１１１、ノード１１７、ノード１１８と関連付けられている。また、ノード２はノード１０１、ノード１０３、ノード１０４と関連付けられている。このように図１の楕円で示されるノードはそれぞれ情報を持っており、実線でつながれた別のノードと関連付けられており、例えば、情報１をもつノード１０１を閲覧しているユーザーが情報１に関連する他のノードを検索する場合の、本発明の動作を以下で説明する。
【００１３】
図２は、本発明の実施例のグラフネットワーク状の情報の表示画面を示す説明図であって、２０１は小型な表示画面をもつ情報端末、２０２は表示画面、２１０は現在閲覧中のノード１０１の情報１の簡易情報、２１１はノード１０２の情報２の簡易情報、２１２はノード１０５の情報５の簡易情報、２１３はノード１０８の情報８の簡易情報、２１４はノード１１１の情報１１の簡易情報、２１５はノード１１７の情報１７の簡易情報、２１６はノード１１８の情報１８の簡易情報、２２０は情報１の詳細な内容である。
【００１４】
表示画面２０２のほぼ中央に閲覧中の情報１の簡易情報２１０、表示画面の下部に情報１の詳細情報２２０を表示することで、視覚的に簡易情報をとらえ、詳細情報が必要であれば下部を見ることで、情報１に関する内容を知ることができる。また、情報１に関連する他のノードの簡易情報２１１〜２１６を簡易情報２１０の周囲に円状に配置し、その表示サイズを課に情報２１０より小さくすることで、現在閲覧中の情報１と、どの情報が関連しているかを容易に知ることができる。
【００１５】
ここでいう簡易情報は、詳細情報からピックアップした単語でもよいし、またそれぞれの情報を代表する写真や図案でもよい。
【００１６】
図３は、本発明の実施例のグラフネットワーク状の情報の表示の移動画面を示す説明図であって、３１０は現在閲覧中のノード１０１の情報１の簡易情報、３１１はノード１０２の情報２の簡易情報、３１２はノード１０５の情報５の簡易情報、３１３はノード１０８の情報８の簡易情報、３１４はノード１１１の情報１１の簡易情報、３１５はノード１１７の情報１７の簡易情報、３１６はノード１１８の情報１８の簡易情報、３１７は情報１の詳細な内容、３２１はユーザーの指、３２２は指を動かす方向、３３０は画面のほぼ中央に移動したノード１０５の情報５の簡易情報、３３１はノード１０１の情報１の簡易情報、３３２はノード１０６の情報６の簡易情報、３３３はノード１０７の情報７の簡易情報、３３４は情報５の詳細な内容である。
【００１７】
ユーザーが、情報１の簡易情報３１０に関連する簡易情報３１１〜３１６の中から知りたい情報の簡易情報として情報５の簡易情報３１２を選択した場合、画面上で簡易情報３１２に指３２１でタッチし、そのまま方向３２２に沿ってほぼ中央まで指３２１を移動することで、表示画面のほぼ中央に情報５の簡易情報３３０として表示し、その周囲には情報５に関連するノード１０１の情報１の簡易情報３３１、ノード１０６の情報６の簡易情報３３２、ノード１０７の情報７の簡易情報３３３を表示する。また、情報５に関する詳細情報は画面の下部に表示する。
【００１８】
このように、常に関連する情報が周囲に表示されることでユーザーは視覚的に情報を取り込むことができ、検索が容易になる。
【００１９】
図４は、本発明の実施例のグラフネットワーク状の情報の検索条件を示す説明図であって、４０１は小型な表示画面をもつ情報端末、４０２は表示画面、４１０は現在閲覧中の情報３０の簡易情報、４１１は時刻による検索を表すアイコン、４１２は名前の条件での検索をあらわすアイコン、４１３は値段の条件での検索をあらわすアイコン、４１４は日付の条件での検索をあらわすアイコン、４１５は場所の条件での検索をあらわすアイコン、４１６はその他の条件での検索をあらわすアイコン、４２０は情報３０の詳細な内容である。
【００２０】
情報３０に関連する情報が多い場合には、簡易情報４１０の周りにすべての関連する情報の簡易情報を表示できない。そのような場合には、検索条件を指定し、関連する情報から検索条件に適合する情報のみを表示する。表示画面では、情報３０に関連付いている他の情報を検索するための検索条件４１１〜４１５のアイコンと、それ以外の検索条件を新たに表示するためのアイコン４１６が、簡易情報４１０の周りに表示される。４１６は例えばフリーワードでの検索などに相当する。
【００２１】
図５は、本発明の実施例のグラフネットワーク状の情報の検索動作を示す説明図であって、５１０は現在閲覧中の情報３０の簡易情報、５１１は時刻による検索を表すアイコン、５１２は名前の条件での検索をあらわすアイコン、５１３は値段の条件での検索をあらわすアイコン、５１４は日付の条件での検索をあらわすアイコン、５１５は場所の条件での検索をあらわすアイコン、５１６はその他の条件での検索をあらわすアイコン、５１７は情報３０の詳細な内容、５２１はユーザーの指、５２２は指を動かす方向、５４０は時刻で検索していることを示すアイコン、５４１は０時から４時までを表すアイコン、５４２は４時から８時までを表すアイコン、５４３は８時から１２時までを表すアイコン、５４５は１２時から１６時までを表すアイコン、５４６は１６時から２０時までを表すアイコン、５４７は２０時から２４時までを表すアイコン、５４８は情報３０の詳細な内容である。
【００２２】
情報３０に関連する他の情報を検索する場合、簡易情報５１０の周囲に表示された検索条件アイコン５１１〜５１５から一つを選択する。時刻で検索する場合は、その検索アイコン５１１を指５２１でタッチし、そのまま方向５２２に沿ってほぼ中央まで指５２１を移動することで、時刻の検索画面に移行する。時刻の検索画面では、中央に時刻の検索画面であることを示す表示がされ、その周囲にさらに時刻の範囲を表すアイコンが表示される。この時、関連する情報がない時間帯のアイコンは表示しないか、あるいは表示しても関連情報がないことを示すように、色や字体を変えても良い。
【００２３】
図６は、本発明の実施例のグラフネットワーク状の情報の時刻による検索動作を示す説明図であって、６１０はユーザーの指、６１１は指を動かす方向、６２０は１２時から１６時までの検索条件画面であることを示すアイコン、６２１は１２時から１３時までを表すアイコン、６２２は１３時から１４時までを表すアイコン、６２３は１４時から１５時までを表すアイコン、６２６は１５時から１６時までを表すアイコン、６２５は検索を開始するボタンアイコン、６２４はその他の検索条件を示すアイコン、６２７は情報３０の詳細情報、６３０はユーザーの指、６４０は情報３０の簡易情報、６４１は情報３１の簡易情報、６４２は情報３２の簡易情報、６４３は情報４０の簡易情報、６４４は情報３０の詳細情報、６５１は情報３１の簡易情報、６５２は情報３２の簡易情報、６５３は情報４０の簡易情報、である。
【００２４】
図５で時刻での検索を選択した後、時間帯１２時から１６時を選択する場合は、１２時から１６時までを表すアイコン５４５を指６１０でタッチし、そのまま方向６１１に沿ってほぼ中央まで指６１０を移動することで、１２時から１６時の間で更に時刻を検索条件の時間帯を設定する画面になり、中央に１２時から１６時までの検索条件画面であることを示すアイコン６２０が表示される。アイコン６２０の周りに、更に細かく分割した時間を指定するアイコン６２１、６２２、６２３、また現在の検索条件である１２時から１６時で検索するためのボタンアイコン６２５、その他の条件で検索するためのアイコン６２４が表示される。ここで、ユーザーの指６３０で、１２時から１６時で検索するためのボタンアイコン６２５を画面上でタッチすることで、情報３０に関連する他の情報の中で１２時から１６時の時刻として記録されている情報である情報３１、情報３２、情報４０に係る簡易情報６４１、６４２、６４３が、情報３０の簡易情報６４０の周りに表示される。ユーザーはこれらの情報から閲覧したい情報のアイコンにタッチし、中央まで指を移動することで、図３と同様にその情報の詳細な内容を知ることができ、また、新たにその情報に関連する他の情報を知ることができる。
【００２５】
この時、ユーザー検索するためのボタンアイコン上に指を置き、そのまま離さずに画面上を移動させると、１２時から１６時に関連する情報３１（６５１）、情報３２（６５２）、情報４０（６５３）が指の軌跡に沿って数珠つなぎ状に表示され、指を画面から離すことで、画面上にその表示が固定され、再度指で所望の情報に画面上で触れることでその情報を選択する方法も可能である。
【産業上の利用可能性】
【００２６】
インターネットのクラウド上に蓄積されたグラフネットワーク状に関連付けられた情報を写真等の簡易的な内容で表示しつつ、関連性を表すエッジを介してつながっている他の情報もその周囲に表示し、周囲の情報を指でタップする等の簡易な操作で表示画面の中央に移動することで、詳細な内容を知るという視覚的に情報間の関連性をわかりやすくすることで、グラフネットワーク状に関連付けられた情報の価値を高めることができる。また、そのような情報は構造化されており、様々な分析に用いることができる。
【００２７】
また、グラフネットワーク状に関連付けられた情報を平等に扱うために円形のアイコンを用い、その周囲に関連する情報を円形に配置することも効果がある。
【符号の説明】
【００２８】
１０１  情報１のノード
１０２  情報２のノード
１０３  情報３のノード
１０４  情報４のノード
１０５  情報５のノード
１０６  情報６のノード
１０７  情報７のノード
１０８  情報８のノード
１０９  情報９のノード
１１０  情報１０のノード
１１１  情報１１のノード
１１２  情報１２のノード
１１３  情報１３のノード
１１４  情報１４のノード
１１５  情報１５のノード
１１６  情報１６のノード
１１７  情報１７のノード
１１８  情報１８のノード
１１９  情報１９のノード
１２０  情報２０のノード
２０１  小型な表示画面をもつ情報端末、
２０２  表示画面、
２１０  情報１の簡易情報、
２１１  情報２の簡易情報、
２１２  情報５の簡易情報、
２１３  情報８の簡易情報、
２１４  情報１１の簡易情報、
２１５  情報１７の簡易情報、
２１６  情報１８の簡易情報、
２２０  情報１の詳細な内容
３１０  情報１の簡易情報、
３１１  情報２の簡易情報、
３１２  情報５の簡易情報、
３１３  情報８の簡易情報、
３１４  情報１１の簡易情報、
３１５  情報１７の簡易情報、
３１６  情報１８の簡易情報、
３１７  情報１の詳細な内容、
３２１  ユーザーの指、
３２２  指を動かす方向、
３３０  情報５の簡易情報、
３３１  情報１の簡易情報、
３３２  情報６の簡易情報、
３３３  情報７の簡易情報、
３３４  情報５の詳細な内容
４０１  情報端末、
４０２  表示画面、
４１０  情報３０の簡易情報、
４１１  時刻による検索を表すアイコン、
４１２  名前の条件での検索をあらわすアイコン、
４１３  値段の条件での検索をあらわすアイコン、
４１４  日付の条件での検索をあらわすアイコン、
４１５  場所の条件での検索をあらわすアイコン、
４１６  その他の条件での検索をあらわすアイコン、
４２０  情報３０の詳細な内容
５１０  情報３０の簡易情報、
５１１  時刻による検索を表すアイコン、
５１２  名前の条件での検索をあらわすアイコン、
５１３  値段の条件での検索をあらわすアイコン、
５１４  日付の条件での検索をあらわすアイコン、
５１５  場所の条件での検索をあらわすアイコン、
５１６  その他の条件での検索をあらわすアイコン、
５１７  情報３０の詳細な内容、
５２１  ユーザーの指、
５２２  指を動かす方向、
５４０  時刻で検索していることを示すアイコン、
５４１  ０時から４時までを表すアイコン、
５４２  ４時から８時までを表すアイコン、
５４３  ８時から１２時までを表すアイコン、
５４５  １２時から１６時までを表すアイコン、
５４６  １６時から２０時までを表すアイコン、
５４７  ２０時から２４時までを表すアイコン、
５４８  情報３０の詳細な内容
６１０  ユーザーの指、
６１１  指を動かす方向、
６２０  １２時から１６時までの検索条件画面であることを示すアイコン、
６２１  １２時から１３時までを表すアイコン、
６２２  １３時から１４時までを表すアイコン、
６２３  １４時から１５時までを表すアイコン、
６２６  １５時から１６時までを表すアイコン、
６２５  検索を開始するボタンアイコン、
６２４  その他の検索条件を示すアイコン、
６２７  情報３０の詳細情報、
６３０  ユーザーの指、
６４０  情報３０の簡易情報、
６４１  情報３１の簡易情報、
６４２  情報３２の簡易情報、
６４３  情報４０の簡易情報、
６４４  情報３０の詳細情報
６５１  情報３１の簡易情報、
６５２  情報３２の簡易情報、
６５３  情報４０の簡易情報、
【図１】
2019086924.tif 000003
【図２】
2019086924.tif 000004
【図３】
2019086924.tif 000005
【図４】
2019086924.tif 000006
【図５】
2019086924.tif 000007
【図６】
2019086924.tif 000008